(57)【要約】【課題】コンクリートパネルを構成する各分割パネルの面積及び重量を小さくさせて、施工性を向上できるようにした壁面用コンクリートパネルの提供。【解決手段】コンクリート壁面２２に取り付けられる複数枚の分割パネルａを備え、各分割パネルは、これを組み合せた状態で表面形状が１個の石模様を形成するように成型されている。これら分割パネルをコンクリート壁面２２に取り付け、さらに１個の石模様として表現するように一連の塗装にした。【選択図】      図１
2004162435.tif 000002
【特許請求の範囲】
【請求項１】
コンクリート壁面に取り付けられる複数枚の分割パネルを備え、
各分割パネルは、これを組み合せた状態で表面形状が１個の石模様を形成するように成型されていることを特徴とする壁面用コンクリートパネル。
【請求項２】
コンクリート壁面に取り付けられる複数枚の分割パネルを備え、各分割パネルは、これを組み合せた状態で表面形状が１個の石模様を形成するように成型されている壁面用コンクリートパネルの成型方法であって、
前記各分割パネルを、隣り合う分割パネル間に分割用仕切片を介在させた状態で１つの型枠で型枠成型することを特徴とする壁面用コンクリートパネルの成型方法。
【請求項３】
コンクリート壁面に取り付けられる複数枚の分割パネルを備え、各分割パネルは、これを組み合せた状態で表面形状が１個の石模様を形成するように成型されている壁面用コンクリートパネルの成型方法であって、
前記各分割パネルを、隣り合う分割パネルの裏面間に分割用薄肉部を形成させる状態で１つの型枠で型枠成型することを特徴とする壁面用コンクリートパネルの成型方法。
【請求項４】
コンクリート壁面に取り付けられる複数枚の分割パネルを備え、各分割パネルは、これを組み合せた状態で表面形状が１個の石模様を形成するように成型されている壁面用コンクリートパネルを用いた壁面構造であって、前記各分割パネルは、隣り合う分割パネル間の継目に充填材を充填した状態でコンクリート壁面に取り付けられ、
前記各分割パネル及び充填モルタルの表面に、全体として１個の石模様を表現するように塗装が施されていることを特徴とする壁面用コンクリートパネルを用いた壁面構造。
【請求項５】
請求項４記載の壁面構造において、壁面用コンクリートパネルの上に隆起用パネルが部分的に取り付けられ、この隆起用パネルは、隣り合う分割パネル間の継目の上に被さるように取り付けられている壁面用コンクリートパネルを用いた壁面構造。
【発明の詳細な説明】
【０００１】
【発明の属する技術分野】
本発明は、擁壁用ブロックで構築されるコンクリート擁壁や現場打ちされたコンクリート擁壁の壁面に取り付ける壁面用コンクリートパネル及び壁面用コンクリートパネルの成型方法並びに壁面用コンクリートパネルを用いた壁面構造に関する。
【０００２】
【従来の技術】
従来、コンクリート擁壁の壁面を石模様にするための技術として、それぞれ表面を石模様に形成したコンクリートパネルを壁面に取り付けるようにした技術が提案されている（例えば、特許文献１、特許文献２参照）。
【０００３】
【特許文献１】
特開２０００−２２０１５５号公報（図１符号３）
【特許文献２】
特開２０００−３５６０２６号公報（図１符号２２）
【０００４】
【発明が解決しようとする課題】
しかしながら、上記した従来のコンクリートパネルは、そのコンクリートパネルが１枚の単体で、１個の石模様を表現するように成型されている。
このように、１枚の単体で、１個の石模様を表現したコンクリートパネルでは、その石模様を大きな面積（例えば、２平方メートル以上）で表現しようとすると、必然的にコンクリートパネルの面積が大きくなるし、その重量も増大してしまう。
【０００５】
コンクリートパネルを用いてコンクリート擁壁の壁面をデザインするに当り、大きな石模様を組み合わせて石垣を表現する必要があるような場合、上記のように、１枚の単体で、１個の石模様を表現したコンクリートパネルを用いると、そのコンクリートパネルの面積が広く、又、重量が重いために、施工に多大の手間と労力が必要になるという問題が生じる。
【０００６】
本発明は、上記のような問題を解決するためになされたもので、組み合せた状態で表面形状が１個の石模様を形成するようにした複数枚の分割パネルを用いることで、コンクリートパネルを構成する各分割パネルの面積及び重量を小さくさせて、施工性を向上できるようにした壁面用コンクリートパネル及び壁面用コンクリートパネルの成型方法並びに壁面用コンクリートパネルを用いた壁面構造を提供することを課題としている。
【０００７】
【課題を解決するための手段】
上記の課題を解決するために、本発明の壁面用コンクリートパネル（請求項１）は、
コンクリート壁面に取り付けられる複数枚の分割パネルを備え、各分割パネルは、これを組み合せた状態で表面形状が１個の石模様を形成するように成型されている構成とした。
【０００８】
また、本発明の壁面用コンクリートパネルの成型方法（請求項２）は、
コンクリート壁面に取り付けられる複数枚の分割パネルを備え、各分割パネルは、これを組み合せた状態で表面形状が１個の石模様を形成するように成型されている壁面用コンクリートパネルの成型方法であって、
前記各分割パネルを、隣り合う分割パネル間に分割用仕切片を介在させた状態で１つの型枠で型枠成型する構成とした。
【０００９】
また、本発明の壁面用コンクリートパネルの成型方法（請求項３）は、
コンクリート壁面に取り付けられる複数枚の分割パネルを備え、各分割パネルは、これを組み合せた状態で表面形状が１個の石模様を形成するように成型されている壁面用コンクリートパネルの成型方法であって、
前記各分割パネルを、隣り合う分割パネルの裏面間に分割用薄肉部を形成させる状態で１つの型枠で型枠成型する構成とした。
【００１０】
また、本発明の壁面用コンクリートパネルを用いた壁面構造（請求項４）は、コンクリート壁面に取り付けられる複数枚の分割パネルを備え、各分割パネルは、これを組み合せた状態で表面形状が１個の石模様を形成するように成型されている壁面用コンクリートパネルを用いた壁面構造であって、
前記各分割パネルは、隣り合う分割パネル間の継目に充填材（モルタル、コーキング材等）を充填した状態でコンクリート壁面に取り付けられ、
前記各分割パネル及び充填モルタルの表面に、全体として１個の石模様を表現するように塗装が施されている構成とした。
【００１１】
上記請求項４記載の壁面構造において、壁面用コンクリートパネルの上に隆起用パネルが部分的に取り付けられ、この隆起用パネルは、隣り合う分割パネル間の継目の上に被さるように取り付けられている態様（請求項５）がある。
【００１２】
【発明の実施の形態】
以下、本発明の実施の形態を図面に示す実施例より詳述する。尚、以下の各実施例において、同一構成部分については図面の符号を同一にしている。
【００１３】
図１は本発明の壁面用コンクリートパネルを用いた壁面構造の実施例を示す斜視図、図２はこの壁面構造の要部を示す断面図である。
図において、２は大型のＬ形擁壁用ブロックで、底板部２０と前面板部２１とでＬ形に形成され、前面板部２１の正面がコンクリート壁面２２に形成されている。
前記コンクリート壁面２２上には、複数個の壁面用コンクリートパネル（以下、「コンクリートパネル」と略称する）がボルト２５や接着剤等によって取り付けられている。
【００１４】
この実施例では、中央部及び右下部に、本発明に係るコンクリートパネルＡ，Ｂが取り付けられ、他の部分には、１枚の単体で、１個の石模様を表現した従来のコンクリートパネル１，１，１が取り付けられている。なお、これらのコンクリートパネルは、隣り合うコンクリートパネル間に目地３が生じるように、若干の隙を介して取り付けられている。
【００１５】
前記コンクリートパネルＡは、複数枚（９枚）の分割パネルａを備え、各分割パネルａは、これを組み合せた状態で表面形状が１個の石模様を形成するように成型されている。
又、前記各分割パネルａは、隣り合う分割パネルａ，ａ間の継目４に充填材４０（モルタル、コーキング材等）を充填した状態でコンクリート壁面２２に取り付けられている。この場合、各分割パネルａ，ａ間の継目４は、自在に屈曲した曲線で形成されている。
そして、前記各分割パネルａ及び充填材の表面に、全体として１個の石模様を表現するように塗装が施されている。
【００１６】
このように形成されたコンクリートパネルＡは、複数枚（９枚）の分割パネルによって形成されているため、各分割パネルａの面積及び重量を小さくすることができ、運搬や施工に伴なう手間を軽減することができる。
また、分割パネルａを組み合せて、その継目４を充填材４０で埋めると共に、１個の石模様を表現するように塗装を施しているため、分割パネルａの組み合わせでありながら、大きな１個の石模様を形成できる。
従って、１個の大きな石模様を取り入れた石垣状のデザインを表現できるなど、デザインパターンの多様化を図ることができる。
【００１７】
なお、前記コンクリートパネルＢは、複数枚（６枚）の分割パネルｂを備え、各分割パネルｂ，ｂ間の継目５が、直線で形成されたものである。
このコンクリートパネルＢのその他の構成及び作用は、前記コンクリートパネルＡと同様である。
【００１８】
そして、この壁面構造では、隆起用パネルＣが付加して取り付けられたもので、この隆起用パネルＣは、図２に示すように、隣り合う分割パネル間ａ，ａの継目４の上に被さるように取り付けられている。
この場合、隆起用パネルＣを取り付けた状態で、各分割パネルａ及び充填材の表面、及び隆起用パネルＣの表面に、全体として１個の石模様を表現するように塗装を施こすことになる。
この隆起用パネルＣを取り付けることにより、立体的な壁面構造を形成することができる。
【００１９】
なお、図３は他例の壁面構造の要部を示す断面図である。
この壁面構造では、分割パネルａ及び隆起用パネルＣの裏面に凹部９を形成することにより、その肉厚を薄くして軽量化を図り、施工性を向上できるようにしている。
又、この図３の例では、隆起用パネルＣによって覆われる分割パネルａ，ａ間に継目４は、隆起用パネルＣによって目隠しされるため、充填材を充填していない。
【００２０】
次に、図４はコンクリートパネルの製造方法の実施例を示す断面図である。
この場合の製造方法は、各分割パネルａを、隣り合う分割パネルａ，ａ間に分割用仕切片６０、例えば、柔軟なプラスチック板や金属板を介在させた状態で１つの型枠６で型枠成型するようにしている。前記各分割パネルａの内部には、それぞれ鉄筋７が埋設されている。
この製造方法では、型枠６の内部空間を、継目４に対応した分割用仕切片６０によって各分割パネルａの成型空間に区画し、その成型空間に鉄筋７をセットした後、コンクリートを打設し、そのコンクリートが固化した後、型枠６及び分割用仕切片６０を脱型することになる。これにより、コンクリートパネルＡを構成する複数枚の分割パネルａを同時に成型することができる。
【００２１】
なお、前記コンクリートパネルＢを製造する場合には、分割用仕切片６０として、継目５に対応した直線交叉状枠を使用することになる。
【００２２】
次に、図５はコンクリートパネルの製造方法の他の実施例を示す断面図である。
この場合の製造方法は、各分割パネルａを、隣り合う分割パネルａ，ａの裏面間に分割用薄肉部８を形成させる状態で１つの型枠６で型枠成型するようにしている。
この製造方法では、型枠６の内部空間を、その内部空間の半分ほど深さの分割用仕切片６１によって各分割パネルａの成型空間に区画し、その成型空間に鉄筋７をセットした後、コンクリートを打設し、そのコンクリートが固化した後、型枠６及び分割用仕切片６１を脱型することになる。これにより、隣り合う分割パネルａ，ａの裏面間に分割用薄肉部８を形成させたコンクリートパネルＡを製造し、その後、分割用薄肉部８に沿って割ることで、各分割パネルａを成型することができる。
このように、裏面に分割用薄肉部８を設けたので、分割パネルａの表面に現れる継目に変化が生じ、自然な表情を表現できる。
【００２３】
又、コンクリートパネルの製造方法として、上記した図４及び図５に示したもの以外に、分割用仕切片を用いることなく、コンクリートパネルの全体を型枠成型し、その後にカッター等で分割パネルに切断して、各分割パネルに成型することもできるし、各分割パネルをそれぞれ個別の型枠により独立して型枠成型することもできる。
【００２４】
又、本発明の壁面用コンクリートパネル及び壁面構造は、現場打ちされたコンクリート壁面及び擁壁用ブロックのコンクリート壁面のいずれにも適用することができる。
擁壁用ブロックとしては、Ｌ形擁壁用ブロック以外に、積み上げブロックや法面用ブロック等でもよい。
【００２５】
【発明の効果】
以上説明してきたように、本発明の壁面用コンクリートパネル（請求項１）にあっては、組み合せた状態で表面形状が１個の石模様を形成するようにした複数枚の分割パネルを備えているので、コンクリートパネルを構成する各分割パネルの面積及び重量を小さくさせて、施工性を向上させることができる。
【００２６】
又、本発明の壁面用コンクリートパネルの製造方法（請求項２及び３）にあっては、コンクリートパネルを構成する複数枚の分割パネルを同時に成型することができる。
【００２７】
また、本発明の壁面用コンクリートパネルを用いた壁面構造デザイン構造（請求項４）にあっては、分割パネルを組み合せて、その継目を充填材で埋めると共に、１個の石模様を表現するように塗装を施しているため、分割パネルの組み合わせでありながら、大きな１個の石模様を形成できる。
従って、１個の大きな石模様を取り入れた石垣状のデザインを表現できるなど、デザインパターンの多様化を図ることができる。
【００２８】
又、この壁面構造において、隆起用パネルを取り付けることにより（請求項５）、立体的な壁面構造を形成することができる。
【図面の簡単な説明】
【図１】本発明の壁面用コンクリートパネルを用いた壁面構造の実施例を示す斜視図である。
【図２】この壁面構造の要部を示す断面図である。
【図３】他例の壁面構造の要部を示す断面図である。
【図４】コンクリートパネルの製造方法の実施例を示す断面図である。
【図５】コンクリートパネルの製造方法の他の実施例を示す断面図である。
【符号の説明】
Ａ  壁面用コンクリートパネル
ａ  分割パネル
Ｂ  壁面用コンクリートパネル
ｂ  分割パネル
Ｃ  隆起用パネル
１  コンクリートパネル
２０  底板部
２１  前面板部
２２  コンクリート壁面
２５  ボルト
３  目地
４  継目
４０  充填材
５  継目
６  型枠
６０  分割用仕切片
６１  分割用仕切片
７  鉄筋
８  分割用薄肉部
９  凹部
【図１】
2004162435.tif 000003
【図２】
2004162435.tif 000004
【図３】
2004162435.tif 000005
【図４】
2004162435.tif 000006
【図５】
2004162435.tif 000007